(57)【特許請求の範囲】
【請求項１】
無線ルータにより、無線広域ネットワークのアクセス帯域とWiFi無線ローカルエリアネットワークの動作チャネルとを取得するステップと、
前記無線ルータにより、前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしていない場合、変更後の前記WiFi無線ローカルエリアネットワークの動作チャネルと前記無線広域ネットワークの前記アクセス帯域との間に干渉が存在しないように、前記WiFi無線ローカルエリアネットワークの前記動作チャネルを変更するステップと、
前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしている場合、前記無線ルータにより、前記WiFi無線ローカルエリアネットワークに現在アクセスしている前記WiFiユーザに対応するデータトラヒックを取得するステップと、
前記無線ルータにより、前記WiFiユーザに対応する前記データトラヒックに従って、前記WiFi無線ローカルエリアネットワークの前記動作チャネルを変更するか否かを判定するステップと、
を有し、
前記無線ルータにより、前記WiFiユーザに対応する前記データトラヒックに従って、前記WiFi無線ローカルエリアネットワークの前記動作チャネルを変更するか否かを判定するステップは、
前記WiFiユーザに対応する前記データトラヒックが予め設定された期間内に第１の閾値以下である場合、前記無線ルータにより、変更後の前記WiFi無線ローカルエリアネットワークの前記動作チャネルと前記無線広域ネットワークの前記アクセス帯域との間に干渉が存在しないように、前記WiFi無線ローカルエリアネットワークの前記動作チャネルを変更するステップを有する通信干渉処理方法。
【請求項２】
前記無線ルータにより、変更後の前記WiFi無線ローカルエリアネットワークの前記動作チャネルと前記無線広域ネットワークの前記アクセス帯域との間に干渉が存在しないように、前記WiFi無線ローカルエリアネットワークの前記動作チャネルを変更するステップは、
前記無線ルータにより、変更後の前記WiFi無線ローカルエリアネットワークの前記動作チャネルと前記無線広域ネットワークの前記アクセス帯域との間に干渉が存在しないように、変更前の前記WiFi無線ローカルエリアネットワークの前記動作チャネルがチャネルa1からチャネルb1のいずれかである場合、前記WiFi無線ローカルエリアネットワークの前記動作チャネルをチャネルa2からチャネルb2のいずれかに変更するステップを有し、
チャネルa1からチャネルb1はチャネル1からチャネル7であり、チャネルa2からチャネルb2はチャネル8からチャネル11、チャネル8からチャネル13又はチャネル8からチャネル14であり、或いは、チャネルa1からチャネルb1はチャネル8からチャネル11、チャネル8からチャネル13又はチャネル8からチャネル14であり、チャネルa2からチャネルb2はチャネル1からチャネル7である、請求項１に記載の方法。
【請求項３】
プロセッサと、モデムと、WiFiモジュールとを有し、前記プロセッサは、前記モデム及び前記WiFiモジュールに別々に接続される無線ルータであって、
前記モデムは、無線広域ネットワークにアクセスし、前記無線広域ネットワークのアクセス帯域を取得するように構成され、
前記WiFiモジュールは、WiFi無線ローカルエリアネットワークを提供し、前記WiFi無線ローカルエリアネットワークの動作チャネルを取得し、前記WiFi無線ローカルエリアネットワークの前記動作チャネルを変更するように構成され、
前記プロセッサは、前記モデムから前記無線広域ネットワークの前記アクセス帯域を取得し、前記WiFiモジュールから前記WiFi無線ローカルエリアネットワークの前記動作チャネル及びWiFiユーザが前記WiFi無線ローカルエリアネットワークに現在アクセスしているか否かを取得するように構成され、前記無線広域ネットワークの前記アクセス帯域と前記WiFi無線ローカルエリアネットワークの前記動作チャネルとの間に干渉が存在するか否かを判定し、前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしていない場合、変更後の前記WiFi無線ローカルエリアネットワークの前記動作チャネルと前記無線広域ネットワークの前記アクセス帯域との間に干渉が存在しないように、前記WiFiモジュールに対して前記WiFi無線ローカルエリアネットワークの前記動作チャネルを変更するように指示するように更に構成され、
前記プロセッサは、前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしている場合、前記WiFiモジュールを使用することにより、前記WiFi無線ローカルエリアネットワークに現在アクセスしている前記WiFiユーザに対応するデータトラヒックを取得し、前記WiFiユーザに対応する前記データトラヒックに従って、前記WiFi無線ローカルエリアネットワークの前記動作チャネルを変更するか否かを判定するように更に構成され、
前記プロセッサが、前記WiFiユーザに対応する前記データトラヒックに従って、前記WiFi無線ローカルエリアネットワークの前記動作チャネルを変更するか否かを判定することは、特に、
前記WiFiユーザに対応する前記データトラヒックが予め設定された期間内に第１の閾値以下である場合、変更後の前記WiFi無線ローカルエリアネットワークの前記動作チャネルと前記無線広域ネットワークの前記アクセス帯域との間に干渉が存在しないように、前記プロセッサが、前記WiFiモジュールに対して前記WiFi無線ローカルエリアネットワークの前記動作チャネルを変更するように命令することを有する無線ルータ。
【請求項４】
プロセッサと、モデムと、WiFiモジュールとを有し、前記プロセッサは、前記モデム及び前記WiFiモジュールに別々に接続される無線ルータであって、
前記モデムは、無線広域ネットワークにアクセスし、前記無線広域ネットワークのアクセス帯域を取得するように構成され、
前記WiFiモジュールは、WiFi無線ローカルエリアネットワークを提供し、前記WiFi無線ローカルエリアネットワークの動作チャネルを取得し、WiFiユーザが前記WiFi無線ローカルエリアネットワークに現在アクセスしているか否かを取得するように構成され、
前記プロセッサは、前記モデムにより取得された前記無線広域ネットワークの前記アクセス帯域を前記WiFiモジュールに送信するように構成され、
前記WiFiモジュールは、前記無線広域ネットワークの前記アクセス帯域と前記WiFi無線ローカルエリアネットワークの前記動作チャネルとの間に干渉が存在するか否かを判定し、前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしていない場合、変更後の前記WiFi無線ローカルエリアネットワークの前記動作チャネルと前記無線広域ネットワークの前記アクセス帯域との間に干渉が存在しないように、前記WiFi無線ローカルエリアネットワークの前記動作チャネルを変更するように更に構成され、
前記WiFiモジュールは、前記無線ローカルエリアネットワークに現在アクセスしている前記WiFiユーザに対応するデータトラヒックを取得し、前記無線広域ネットワークの前記アクセス帯域と前記WiFi無線ローカルエリアネットワークの前記動作チャネルとの間に干渉が存在し、WiFiユーザが前記WiFi無線ローカルエリアネットワークに現在アクセスしている場合、前記WiFiユーザに対応する前記データトラヒックに従って、前記WiFi無線ローカルエリアネットワークの前記動作チャネルを変更するか否かを判定するように更に構成され、
前記WiFiモジュールが、前記WiFiユーザに対応する前記データトラヒックに従って、前記WiFiローカルエリアネットワークの前記動作チャネルとを変更するか否かを判定することは、
前記WiFiユーザに対応する前記データトラヒックが予め設定された期間内に第１の閾値以下である場合、変更後の前記WiFi無線ローカルエリアネットワークの前記動作チャネルと前記無線広域ネットワークの前記アクセス帯域との間に干渉が存在しないように、前記WiFiモジュールが、前記WiFi無線ローカルエリアネットワークの前記動作チャネルを変更することを有する無線ルータ。
【発明の詳細な説明】
【技術分野】
【０００１】
本発明の実施例は、通信分野に関し、特に、通信干渉処理方法及び無線ルータに関する。
【背景技術】
【０００２】
モバイルWiFi製品の普及により、多くの無線製品が開放された周波数スペクトルリソースを共有しており、従って、次第に重大な無線信号の干渉の問題が生じている。
【０００３】
無線ルータは、3G（第３世代モバイル通信技術）／4Gネットワーク信号を、近くのWiFiデバイスに共有されるWiFi信号に変換することある。しかし、3G／4Gネットワーク信号及びWiFi信号が相互に干渉する可能性がある。例えば、WiFiの2.4G帯（2.4GHz）と、LTE（Long  Term  Evolution）のBand7（Band7は2.5GHzから2.57Ghzで動作する）との間、及びWiFiの2.4G帯（2.4GHz）とWiMAX（Worldwide  Interoperability  for  Microwave  Access）の2.3G及び2.5G帯との間で干渉が存在する可能性がある。ただし、WiFiの2.4G帯はチャネル1からチャネル13に分割され得る。具体的には、LTEのBand7とWiMAXの2.5G帯とは、WiFiチャネル8からチャネル13の無線周波数インジケータに影響を与える可能性があり、WiFiがチャネル8からチャネル13で正常に動作できないことを生じる。WiMAXの2.3G帯は、WiFiチャネル1からチャネル7の無線周波数インジケータに影響を与える可能性があり、WiFiがチャネル1からチャネル7で正常に動作できないことを生じる。
【発明の概要】
【発明が解決しようとする課題】
【０００４】
3G／LTEネットワーク信号とWiFi信号とが相互に干渉すると、干渉の結果は、WiFiが正常に動作できず、サービスが中断されることになる可能性がある。従って、3G／LTEネットワーク信号とWiFi信号との間の干渉が回避される必要がある。
【０００５】
本発明の実施例は、一態様において通信干渉処理方法を提供し、他の態様において無線ルータを提供し、他の態様において更に無線ルータを提供し、3G／LTEネットワーク信号とWiFi信号との間の干渉を回避することを可能にする。
【課題を解決するための手段】
【０００６】
第１の態様によれば、通信干渉処理方法は、無線広域ネットワークのアクセス帯域とWiFi無線ローカルエリアネットワークの動作チャネルとを取得し、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFi無線ローカルエリアネットワークの動作チャネルを変更することを含む。
【０００７】
第１の態様の第１の可能な実装方法では、この方法は、無線広域ネットワークのアクセス帯域とWiFi無線ローカルエリアネットワークの動作チャネルとの間に干渉が存在し、WiFiユーザがWiFi無線ローカルエリアネットワークに現在アクセスしている場合、現在アクセスしているWiFiユーザに対応するデータトラヒックを取得し、WiFiユーザに対応するデータトラヒックに従って、WiFi無線ローカルエリアネットワークの動作チャネルを変更するか否かを判定することを更に含む。
【０００８】
第１の態様の第１の可能な実装方法を参照して、第２の可能な実装方法では、WiFiユーザに対応するデータトラヒックに従って、WiFi無線ローカルエリアネットワークの動作チャネルを変更するか否かを判定することは、WiFiユーザに対応するデータトラヒックが予め設定された期間内に第１の閾値以下である場合、変更後のWiFi無線ローカルエリアネットワークの動作チャネルと無線広域ネットワークのアクセス帯域との間に干渉が存在しないように、WiFi無線ローカルエリアネットワークの動作チャネルを変更することを含む。
【０００９】
第１の態様、第１の態様の第１の可能な実装方法又は第１の態様の第２の可能な実装方法を参照して、第３の可能な実装方法では、変更後のWiFi無線ローカルエリアネットワークの動作チャネルと無線広域ネットワークのアクセス帯域との間に干渉が存在しないように、WiFi無線ローカルエリアネットワークの動作チャネルを変更することは、変更後のWiFi無線ローカルエリアネットワークの動作チャネルと無線広域ネットワークのアクセス帯域との間に干渉が存在しないように、変更前のWiFi無線ローカルエリアネットワークの動作チャネルがチャネルa1からチャネルb1のいずれかである場合、WiFi無線ローカルエリアネットワークの動作チャネルをチャネルa2からチャネルb2のいずれかに変更することを含み、チャネルa1からチャネルb1はチャネル1からチャネル7であり、チャネルa2からチャネルb2はチャネル8からチャネル11、チャネル8からチャネル13又はチャネル8からチャネル14であり、或いは、チャネルa1からチャネルb1はチャネル8からチャネル11、チャネル8からチャネル13又はチャネル8からチャネル14であり、チャネルa2からチャネルb2はチャネル1からチャネル7である。
【００１０】
第２の態様によれば、無線ルータは、プロセッサと、モデムと、WiFiモジュールとを含み、プロセッサは、モデム及びWiFiモジュールに別々に接続され、モデムは、無線広域ネットワークにアクセスし、無線広域ネットワークのアクセス帯域を取得するように構成され、WiFiモジュールは、WiFi無線ローカルエリアネットワークを提供し、WiFi無線ローカルエリアネットワークの動作チャネルを取得し、WiFi無線ローカルエリアネットワークの動作チャネルを変更するように構成され、プロセッサは、モデムから無線広域ネットワークのアクセス帯域を取得し、WiFiモジュールからWiFi無線ローカルエリアネットワークの動作チャネル及びWiFiユーザがWiFi無線ローカルエリアネットワークに現在アクセスしているか否かを取得するように構成され、無線広域ネットワークのアクセス帯域とWiFi無線ローカルエリアネットワークの動作チャネルとの間に干渉が存在するか否かを判定し、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFiモジュールに対してWiFi無線ローカルエリアネットワークの動作チャネルを変更するように指示するように更に構成される。
【００１１】
第２の態様の第１の可能な実装方法では、プロセッサは、無線広域ネットワークのアクセス帯域とWiFi無線ローカルエリアネットワークの動作チャネルとの間に干渉が存在し、WiFiユーザがWiFi無線ローカルエリアネットワークに現在アクセスしている場合、WiFiモジュールを使用することにより、現在アクセスしているWiFiユーザに対応するデータトラヒックを取得し、WiFiユーザに対応するデータトラヒックに従って、WiFi無線ローカルエリアネットワークの動作チャネルを変更するか否かを判定するように更に構成される。
【００１２】
第２の態様の第１の可能な実装方法を参照して、第２の可能な実装方法では、プロセッサが、WiFiユーザに対応するデータトラヒックに従って、WiFi無線ローカルエリアネットワークの動作チャネルを変更するか否かを判定することは、特に、WiFiユーザに対応するデータトラヒックが予め設定された期間内に第１の閾値以下である場合、変更後のWiFi無線ローカルエリアネットワークの動作チャネルと無線広域ネットワークのアクセス帯域との間に干渉が存在しないように、プロセッサが、WiFiモジュールに対してWiFi無線ローカルエリアネットワークの動作チャネルを変更するように命令することを含む。
【００１３】
第３の態様によれば、無線ルータは、プロセッサと、モデムと、WiFiモジュールとを含み、プロセッサは、モデム及びWiFiモジュールに別々に接続され、モデムは、無線広域ネットワークにアクセスし、無線広域ネットワークのアクセス帯域を取得するように構成され、WiFiモジュールは、WiFi無線ローカルエリアネットワークを提供し、WiFi無線ローカルエリアネットワークの動作チャネルを取得し、WiFiユーザがWiFi無線ローカルエリアネットワークに現在アクセスしているか否かを取得するように構成され、プロセッサは、モデムにより取得された無線広域ネットワークのアクセス帯域をWiFiモジュールに送信するように構成され、WiFiモジュールは、無線広域ネットワークのアクセス帯域とWiFi無線ローカルエリアネットワークの動作チャネルとの間に干渉が存在するか否かを判定し、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFi無線ローカルエリアネットワークの動作チャネルを変更するように更に構成される。
【００１４】
第３の態様の第１の可能な実装方法では、WiFiモジュールは、無線ローカルエリアネットワークに現在アクセスしているWiFiユーザのデータトラヒックを取得し、無線広域ネットワークのアクセス帯域とWiFi無線ローカルエリアネットワークの動作チャネルとの間に干渉が存在し、WiFiユーザがWiFi無線ローカルエリアネットワークに現在アクセスしている場合、WiFiユーザに対応するデータトラヒックに従って、WiFi無線ローカルエリアネットワークの動作チャネルを変更するか否かを判定するように更に構成される。
【００１５】
第３の態様の第１の可能な実装方法を参照して、第２の可能な実装方法では、WiFiモジュールが、WiFiユーザに対応するデータトラヒックに従って、WiFiローカルエリアネットワークの動作チャネルとを変更するか否かを判定することは、WiFiユーザに対応するデータトラヒックが予め設定された期間内に第１の閾値以下である場合、変更後のWiFi無線ローカルエリアネットワークの動作チャネルと無線広域ネットワークのアクセス帯域との間に干渉が存在しないように、WiFiモジュールが、WiFi無線ローカルエリアネットワークの動作チャネルを変更することを含む。
【００１６】
本発明の実施例では、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、無線ルータは、調整後のWiFi無線ローカルエリアネットワークの動作チャネルと無線広域ネットワークのアクセス帯域との間に干渉が存在しないように、WiFi無線ローカルエリアネットワークの動作チャネルを自動的に調整してもよい。これにより、無線広域ネットワークのネットワーク信号とWiFi信号との間の干渉の問題を効果的に回避する。
【図面の簡単な説明】
【００１７】
【図１】本発明の実施例による通信干渉処理方法のフローチャート
【図２】本発明の実施例による他の通信干渉処理方法のフローチャート
【図３】本発明の実施例による無線ルータの概略構成図
【図４】本発明の実施例による他の無線ルータの概略構成図
【発明を実施するための形態】
【００１８】
本発明の実施例の技術的対策を明確に説明するために、以下に実施例を説明するために必要な添付図面を簡単に紹介する。明らかに、以下の説明における添付図面は、本発明の単にいくつかの実施例を示しているに過ぎず、当業者は創造的取り組みを行うことなく、これらの添付図面から他の図面を依然として導いてもよい。
【００１９】
以下に、本発明の実施例の添付図面を参照して、本発明の実施例の技術的対策について明確且つ完全に説明する。明らかに、記載の実施例は、本発明の実施例の全部ではなく、単なる一部である。創造的取り組みを行うことなく本発明の実施例に基づいて当業者により得られる全ての他の実施例は、本発明の保護範囲内に入るものとする。
【００２０】
図１は、本発明の実施例による通信干渉処理方法のフローチャートである。図１に示すように、この方法は以下のステップを含む。
【００２１】
ステップ101：無線広域ネットワークのアクセス帯域とWiFi無線ローカルエリアネットワークの動作チャネルとを取得する。
【００２２】
本発明の実施例により提供される通信干渉処理方法は、無線ルータにより実施される。無線ルータは、無線で無線広域ネットワークにアクセスしてもよく、無線ローカルエリアネットワークを提供するためのWiFiアクセスポイント（WiFi  AP）として機能してもよい。ただし、無線ローカルエリアネットワークは、WiFi無線ローカルエリアネットワークである。
【００２３】
無線広域ネットワークにアクセスする場合、無線ルータは、無線広域ネットワークのアクセス帯域を取得してもよい。WiFi無線ローカルエリアネットワークを提供する場合、無線ルータは、WiFi無線ローカルエリアネットワークの動作チャネルを取得してもよい。
【００２４】
無線ルータは、無線広域ネットワークにアクセスした後に固定のアクセス帯域で動作し、一方、無線ルータにより提供されるWiFi無線ローカルエリアネットワークは、固定のチャネルで動作する点に留意すべきである。WiFi無線ローカルエリアネットワークの帯域は、複数のチャネルを含んでもよい。例えば、WiFi無線ローカルエリアネットワークの2.4G帯は、異なる条件に従って複数のチャネルを含んでもよい。例えば、中国においてWiFi無線ローカルエリアネットワークの2.4G帯は、チャネル1からチャネル13を含み、日本においてWiFi無線ローカルエリアネットワークの2.4G帯は、チャネル1からチャネル14を含み、米国においてWiFi無線ローカルエリアネットワークの2.4G帯は、チャネル1からチャネル11を含む。
【００２５】
ステップ102：無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFi無線ローカルエリアネットワークの動作チャネルを変更する。
【００２６】
無線広域ネットワークのアクセス帯域とWiFi無線ローカルエリアネットワークの動作チャネルとを取得した後に、無線ルータは、無線広域ネットワークのアクセス帯域とWiFi無線ローカルエリアネットワークの動作チャネルとの間に干渉が存在するか否かを判定してもよい。
【００２７】
WiFi無線ローカルエリアネットワークの2.4G帯は、チャネル1からチャネル13、チャネル1からチャネル11又はチャネル1からチャネル14を含んでもよい点に留意すべきである。LTEのBand7又はWiMAXの2.5G帯域とWiFiチャネル8からチャネル13（チャネル8からチャネル11又はチャネル8からチャネル14）との間に干渉が存在し、一方、WiMAXの2.3G帯とWiFiチャネル1からチャネル7との間に干渉が存在する。例えば、無線広域ネットワークのアクセス帯域がLTEのBand7又はWiMAXの2.5G帯であり、WiFi無線ローカルエリアネットワークの動作チャネルがチャネル8からチャネル13のいずれかである場合、無線広域ネットワークのアクセス帯域とWiFi無線ローカルエリアネットワークの動作チャネルとの間に干渉が存在する。
【００２８】
WiFi無線ローカルエリアネットワークを提供する場合、無線ルータは、WiFiユーザがWiFi無線ローカルエリアネットワークにアクセスしているか否かを学習してもよい。
【００２９】
無線広域ネットワークのアクセス帯域とWiFi無線ローカルエリアネットワークの動作チャネルとの間に干渉が存在することを取得した場合、無線ルータは、WiFiユーザがWiFi無線ローカルエリアネットワークに現在アクセスしているか否かを検査してもよい。WiFiユーザがWiFi無線ローカルエリアネットワークに現在アクセスしていない場合、無線ルータは、WiFi無線ローカルエリアネットワークの動作チャネルを、無線広域ネットワークのアクセス帯域との間に干渉が存在しないチャネルに調整してもよい。
【００３０】
本発明の実施例では、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、無線ルータは、調整後のWiFi無線ローカルエリアネットワークの動作チャネルと無線広域ネットワークのアクセス帯域との間に干渉が存在しないように、WiFi無線ローカルエリアネットワークの動作チャネルを自動的に調整してもよい。これにより、無線広域ネットワークのネットワーク信号とWiFi信号との間の干渉の問題を効果的に回避する。
【００３１】
図２は、図１に示す実施例に基づく、本発明の実施例による他の通信干渉処理方法のフローチャートである。図２に示すように、この方法は以下のステップを含む。
【００３２】
ステップ201：無線広域ネットワークのアクセス帯域とWiFi無線ローカルエリアネットワークの動作チャネルとを取得する。
【００３３】
無線ルータは、モデムとWiFiモジュールとを含んでもよい。モデムは、無線広域ネットワークにアクセスするように構成され、WiFiモジュールは、WiFi無線ローカルエリアネットワークを提供するように構成される。無線広域ネットワークのアクセス帯域は、モデムを使用することにより取得されてもよく、WiFi無線ローカルエリアネットワークの動作チャネルは、WiFiモジュールを使用することにより取得されてもよい。
【００３４】
無線ルータは、モデムを使用することにより無線広域ネットワークにアクセスし、無線広域ネットワークの現在のアクセス帯域を取得する。無線ルータは、WiFiモジュールを使用することによりWiFi無線ローカルエリアネットワークを提供し、WiFi無線ローカルエリアネットワークの現在の動作チャネルを取得する。
【００３５】
ステップ202：無線ルータは、無線広域ネットワークのアクセス帯域とWiFi無線ローカルエリアネットワークの動作チャネルとの間に干渉が存在するか否かを判定し、干渉が存在しない場合、ステップ203を実行し、干渉が存在する場合、ステップ204を実行する。
【００３６】
無線ルータは、プロセッサを更に含む。プロセッサは、それぞれ、モデムから無線広域ネットワークのアクセス帯域を取得し、WiFiモジュールからWiFi無線ローカルエリアネットワークの動作チャネルを取得してもよく、干渉が存在するか否かを判定する。プロセッサはまた、モデムから無線広域ネットワークのアクセス帯域を取得し、無線広域ネットワークのアクセス帯域をWiFiモジュールに送信してもよく、WiFiモジュールが、干渉が存在するか否かを判定する。
【００３７】
例えば、無線広域ネットワークのアクセス帯域がLTEのBand7又はWiMAXの2.5G帯であり、WiFi無線ローカルエリアネットワークの動作チャネルがチャネル8からチャネル13のいずれかである場合、無線広域ネットワークのアクセス帯域とWiFi無線ローカルエリアネットワークの動作チャネルとの間に干渉が存在する。無線広域ネットワークのアクセス帯域がWiMAXの2.3G帯であり、WiFi無線ローカルエリアネットワークの動作チャネルがチャネル1からチャネル7のいずれかである場合、無線広域ネットワークのアクセス帯域とWiFi無線ローカルエリアネットワークの動作チャネルとの間に干渉が存在する。
【００３８】
ステップ203：無線ルータは、通常の無線アクセスと通常のWiFi無線ローカルエリアネットワークとを提供し、WiFi無線ローカルエリアネットワークの動作チャネルを調整する必要はない。そして、処理を終了する。或いは、ある期間の後に再びステップ201を実行する。ある期間の後に再びステップ201を実行することは、特定の用途シナリオに従って期間を設定し、その期間の後に再びステップ201を実行することでもよい。
【００３９】
ステップ204：無線ルータは、WiFiユーザがWiFi無線ローカルエリアネットワークに現在アクセスしているか否かを判定する。WiFiユーザがWiFi無線ローカルエリアネットワークにアクセスしていない場合、ステップ205を実行する。或いは、WiFiユーザがWiFi無線ローカルエリアネットワークにアクセスしている場合、ステップ206を実行する。
【００４０】
WiFiユーザがWiFi無線ローカルエリアネットワークに現在アクセスしているか否かは、WiFiモジュールを使用することにより取得されてもよい。
【００４１】
ステップ205：無線ルータは、変更後のWiFi無線ローカルエリアネットワークの動作チャネルと無線広域ネットワークのアクセス帯域との間に干渉が存在しないように、WiFi無線ローカルエリアネットワークの動作チャネルを変更する。そして、処理を終了する。或いは、ある期間の後に再びステップ201を実行する。
【００４２】
無線ルータは、WiFiモジュールを使用することによりチャネル範囲をリセットしてもよい。すなわち、WiFi無線ローカルエリアネットワークの動作チャネルは、干渉を回避するように変更される。例えば、変更前のWiFi無線ローカルエリアネットワークの動作チャネルがチャネルa1からチャネルb1のいずれかである場合、変更後のWiFi無線ローカルエリアネットワークの動作チャネルと無線広域ネットワークのアクセス帯域との間に干渉が存在しないように、WiFi無線ローカルエリアネットワークの動作チャネルは、チャネルa2からチャネルb2のいずれかに変更される。ただし、チャネルa1からチャネルb1はチャネル1からチャネル7であり、チャネルa2からチャネルb2はチャネル8からチャネル11、チャネル8からチャネル13又はチャネル8からチャネル14である。或いは、チャネルa1からチャネルb1はチャネル8からチャネル11、チャネル8からチャネル13又はチャネル8からチャネル14であり、チャネルa2からチャネルb2はチャネル1からチャネル7である。
【００４３】
例えば、無線広域ネットワークのアクセス帯域は、LTEのBand7、WiMAXの2.3G帯及びWiMAXの2.5G帯でもよい。LTEのBand7又はWiMAXの2.5G帯と、WiFiチャネル8からチャネル11、チャネル8からチャネル13又はチャネル8からチャネル14との間に干渉が存在する。WiMAXの2.3G帯とWiFiチャネル1からチャネル7との間に干渉が存在する。LTEのBand7又はWiMAXの2.5G帯と、WiFiチャネル1からチャネル7との間に干渉が存在しない。WiMAXの2.3G帯とWiFiチャネル8からチャネル11、チャネル8からチャネル13又はチャネル8からチャネル14との間に干渉が存在しない。本発明の実施例は、WiFi無線ローカルエリアネットワークのチャネル範囲及び分割方法を限定しない点に留意すべきである。特定の実装方法では、動作チャネルを調整する方法は、実際に適用されるWiFiチャネル範囲に従って判定されてもよい。例えば、実際に適用されるWiFiチャネル範囲がチャネル1からチャネル13である場合、チャネル1からチャネル13とWiMAXの2.3G帯との間の干渉を回避するために、動作チャネルは、チャネル8からチャネル13のいずれかに調整されてもよい。実際に適用されるWiFiチャネル範囲がチャネル1からチャネル14である場合、チャネル1からチャネル14とWiMAXの2.3G帯との間の干渉を回避するために、動作チャネルは、チャネル8からチャネル14のいずれかに調整されてもよい。更に、動作チャネルがチャネル8からチャネル13のいずれかに調整される場合、いずれかのチャネルは、ランダムに選択されてもよく、特定のルールに従って選択されてもよい。例えば、調整は、要件を満たすチャネルを優先的に選択する自動チャネル選択アルゴリズムに従って、WiFiモジュールを駆動することにより実施されてもよい。
【００４４】
無線ルータがWiFiローカルエリアネットワークの動作チャネルを変更した後、すなわち、WiFiチャネル範囲を切り替えた後、WiFiユーザは、WiFi無線ローカルエリアネットワークに再びアクセスし、データサービスが通常に戻される。
【００４５】
ステップ206：無線ルータは、WiFi無線ローカルエリアネットワークに現在アクセスしているWiFiユーザに対応するデータトラヒックを取得する。
【００４６】
無線ルータは、固定の時間間隔にデータトラヒックが現在存在するか否かを検出し、ある期間内にデータトラヒックを記録してもよい。例えば、データトラヒックが現在存在するか否かが最初に検出され、データトラヒックが存在しない場合、データトラヒックが存在するか否かが30秒毎に検出されてもよく、データトラヒックが存在する場合、現在のデータトラヒックが記録され、ある期間（例えば10分）内のデータトラヒックが記録されてもよい。
【００４７】
ステップ207：無線ルータは、WiFiユーザに対応するデータトラヒックに従って、WiFi無線ローカルエリアネットワークの動作チャネルを変更するか否かを判定してもよい。具体的には、無線ルータは、WiFiユーザに対応するデータトラヒックが予め設定された期間内に第１の閾値以下であるか否かを判定する。第１の閾値以下である場合、ステップ208を実行する。或いは、第１の閾値以下でない場合、ステップ209を実行する。
【００４８】
例えば、第１の閾値（例えば、0.5kbps）は予め設定されてもよい。WiFiユーザに対応するデータトラヒックがある期間内に第１の閾値以下である場合、これは、現在のデータトラヒックが非常に小さいこと又は干渉が重大であることを意味し、WiFi無線ローカルエリアネットワークの動作チャネルが調整される必要がある。WiFiユーザに対応するデータトラヒックがある期間内に第１の閾値より大きい場合、これは、現在の干渉が重大でなく、ユーザがデータサービスのためにWiFi無線ローカルエリアネットワークを使用していることを意味する。この場合、WiFi無線ローカルエリアネットワークの動作チャネルは調整されない。
【００４９】
ステップ207は、無線ルータのプロセッサ又はWiFiモジュールにより実行されてもよい。
【００５０】
ステップ208：無線ルータは、変更後のWiFi無線ローカルエリアネットワークの動作チャネルと無線広域ネットワークのアクセス帯域との間に干渉が存在しないように、WiFi無線ローカルエリアネットワークの動作チャネルを変更する。そして、処理を終了する。或いは、ある期間の後に再びステップ201を実行する。
【００５１】
無線ルータがWiFiローカルエリアネットワークの動作チャネルを変更した後、すなわち、WiFiチャネル範囲を切り替えた後、WiFiユーザは、WiFi無線ローカルエリアネットワークに再びアクセスし、データサービスが通常に戻される。
【００５２】
ステップ209：無線ルータは、通常の無線アクセスと通常のWiFi無線ローカルエリアネットワークとを提供する。そして、処理を終了する。或いは、ある期間の後に再びステップ201を実行する。
【００５３】
WiFiユーザに対応するデータトラヒックがある期間内に第１の閾値より大きい場合、無線ルータは、一時的にWiFi無線ローカルエリアネットワークの動作チャネルを調整しない。この時点で、無線ルータは、固定の期間に干渉が存在するか否か、及びWiFiユーザがWiFi無線ローカルエリアネットワークにアクセスしているか否かを検出してもよい。干渉が存在し、WiFiユーザがWiFi無線ローカルエリアネットワークにアクセスしている場合、データトラヒックに従ってWiFi無線ローカルエリアネットワークの動作チャネルを調整するか否かを判定するために、WiFiユーザに対応するデータトラヒックを検出してもよい。
【００５４】
本発明の実施例では、無線広域ネットワークのアクセス帯域とWiFi無線ローカルエリアネットワークの動作チャネルとの間に干渉が存在する場合、無線ルータは、アクセス条件及び現在のWiFiユーザのデータトラヒック条件に従ってWiFi無線ローカルエリアネットワークの動作チャネルを調整するか否かを判定し、干渉が存在する場合、WiFi無線ローカルエリアネットワークの動作チャネルを自動的に調整してもよい。これにより、WiFiチャネルへの他の帯域の干渉を低減し、WiFiユーザの切断又はサービス中断を回避し、ユーザ経験を向上させる。
【００５５】
図３は、本発明の実施例による無線ルータの概略構成図である。図３に示すように、無線ルータ300は、プロセッサ31と、モデム33と、WiFiモジュール35とを含む。プロセッサ31は、モデム33及びWiFiモジュール35に別々に接続される。
【００５６】
モデム33は、無線広域ネットワークにアクセスし、無線広域ネットワークのアクセス帯域を取得するように構成される。
【００５７】
WiFiモジュール35は、WiFi無線ローカルエリアネットワークを提供し、WiFi無線ローカルエリアネットワークの動作チャネルを取得し、WiFi無線ローカルエリアネットワークの動作チャネルを変更するように構成される。
【００５８】
プロセッサ31は、モデム33から無線広域ネットワークのアクセス帯域を取得し、WiFiモジュール35からWiFi無線ローカルエリアネットワークの動作チャネル及びWiFiユーザがWiFi無線ローカルエリアネットワークに現在アクセスしているか否かを取得するように構成され、無線広域ネットワークのアクセス帯域とWiFi無線ローカルエリアネットワークの動作チャネルとの間に干渉が存在するか否かを判定し、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFiモジュール35に対してWiFi無線ローカルエリアネットワークの動作チャネルを変更するように指示するように更に構成される。
【００５９】
他の実装方法では、更に、プロセッサ31は、無線広域ネットワークのアクセス帯域とWiFi無線ローカルエリアネットワークの動作チャネルとの間に干渉が存在し、WiFiユーザがWiFi無線ローカルエリアネットワークに現在アクセスしている場合、WiFiモジュール35を使用することにより、WiFi無線ローカルエリアネットワークに現在アクセスしているWiFiユーザに対応するデータトラヒックを取得し、WiFiユーザに対応するデータトラヒックに従って、WiFi無線ローカルエリアネットワークの動作チャネルを変更するか否かを判定するように更に構成される。
【００６０】
更に、プロセッサ31が、WiFiユーザに対応するデータトラヒックに従って、WiFi無線ローカルエリアネットワークの動作チャネルを変更するか否かを判定することは、特に、WiFiユーザに対応するデータトラヒックが予め設定された期間内に第１の閾値以下である場合、変更後のWiFi無線ローカルエリアネットワークの動作チャネルと無線広域ネットワークのアクセス帯域との間に干渉が存在しないように、プロセッサ31が、WiFiモジュール35に対してWiFi無線ローカルエリアネットワークの動作チャネルを変更するように命令することを含んでもよい。
【００６１】
無線ルータは、図１又は図２に示す実施例の通信干渉処理方法を実行するように構成されてもよい。特定の実行ステップ及び原理については、図１又は図２に示す実施例の説明に参照が行われ、ここでは再び説明しない。
【００６２】
本発明の実施例では、無線広域ネットワークのアクセス帯域とWiFi無線ローカルエリアネットワークの動作チャネルとの間に干渉が存在する場合、無線ルータは、アクセス条件及び現在のWiFiユーザのデータトラヒック条件に従ってWiFi無線ローカルエリアネットワークの動作チャネルを調整するか否かを判定し、干渉が存在する場合、WiFi無線ローカルエリアネットワークの動作チャネルを自動的に調整してもよい。これにより、WiFiチャネルへの他の帯域の干渉を低減し、WiFiユーザの切断又はサービス中断を回避し、ユーザ経験を向上させる。
【００６３】
図４は、本発明の実施例による他の無線ルータの概略構成図である。図４に示すように、無線ルータ400は、プロセッサ41と、モデム43と、WiFiモジュール45とを含み、プロセッサ41は、モデム43及びWiFiモジュール45に別々に接続される。
【００６４】
モデム43は、無線広域ネットワークにアクセスし、無線広域ネットワークのアクセス帯域を取得するように構成される。
【００６５】
WiFiモジュール45は、WiFi無線ローカルエリアネットワークを提供し、WiFi無線ローカルエリアネットワークの動作チャネルを取得し、WiFiユーザがWiFi無線ローカルエリアネットワークに現在アクセスしているか否かを取得するように構成される。
【００６６】
プロセッサ41は、モデム43により取得された無線広域ネットワークのアクセス帯域をWiFiモジュール45に送信するように構成される。
【００６７】
WiFiモジュール45は、無線広域ネットワークのアクセス帯域とWiFi無線ローカルエリアネットワークの動作チャネルとの間に干渉が存在するか否かを判定し、無線広域ネットワークのアクセス帯域とWiFi無線ローカルエリアネットワークの動作チャネルとの間に干渉が存在し、WiFiユーザがWiFi無線ローカルエリアネットワークに現在アクセスしていない場合、変更後のWiFi無線ローカルエリアネットワークの動作チャネルと無線広域ネットワークのアクセス帯域との間に干渉が存在しないように、WiFi無線ローカルエリアネットワークの動作チャネルを変更するように更に構成される。
【００６８】
他の実装方法では、更に、WiFiモジュール45は、無線ローカルエリアネットワークに現在アクセスしているWiFiユーザのデータトラヒックを取得し、無線広域ネットワークのアクセス帯域とWiFi無線ローカルエリアネットワークの動作チャネルとの間に干渉が存在し、WiFiユーザがWiFi無線ローカルエリアネットワークに現在アクセスしている場合、WiFiユーザに対応するデータトラヒックに従って、WiFi無線ローカルエリアネットワークの動作チャネルを変更するか否かを判定するように更に構成される。
【００６９】
更に、WiFiモジュール45が、WiFiユーザに対応するデータトラヒックに従って、WiFiローカルエリアネットワークの動作チャネルとを変更するか否かを判定することは、特に、WiFiユーザに対応するデータトラヒックが予め設定された期間内に第１の閾値以下である場合、変更後のWiFi無線ローカルエリアネットワークの動作チャネルと無線広域ネットワークのアクセス帯域との間に干渉が存在しないように、WiFiモジュールが、WiFi無線ローカルエリアネットワークの動作チャネルを変更することを含んでもよい。
【００７０】
無線ルータは、図１又は図２に示す実施例の通信干渉処理方法を実行するように構成されてもよい。特定の実行ステップ及び原理については、図１又は図２に示す実施例の説明に参照が行われ、ここでは再び説明しない。
【００７１】
本発明の実施例では、無線広域ネットワークのアクセス帯域とWiFi無線ローカルエリアネットワークの動作チャネルとの間に干渉が存在する場合、無線ルータは、アクセス条件及び現在のWiFiユーザのデータトラヒック条件に従ってWiFi無線ローカルエリアネットワークの動作チャネルを調整するか否かを判定し、干渉が存在する場合、WiFi無線ローカルエリアネットワークの動作チャネルを自動的に調整してもよい。これにより、WiFiチャネルへの他の帯域の干渉を低減し、WiFiユーザの切断又はサービス中断を回避し、ユーザ経験を向上させる。
【００７２】
簡単に言えば、前述の説明は、本発明の単に例示的な実施例であり、本発明の保護範囲を限定することを意図するものではない。本発明の要旨及び原理から逸脱することなく行われるいずれかの変更、等価置換又は改良は、本発明の保護範囲内に入るものとする。
【図１】
0005842066.tif 000002
【図２】
0005842066.tif 000003
【図３】
0005842066.tif 000004
【図４】
0005842066.tif 000005